(57)【要約】【解決手段】側壁３の弾性変形可能な薄肉の板状部３ａの外面に形成された相対する一対の水平リブ３ｅ１と相対する一対の垂直リブ３ｆ１とにより、ＩＤタグ用空間Ａ１を形成し、且つ、ＩＤタグ用空間内に位置する板状部に、係止突部ｅ２を有する弾性舌片Ｅ１を形成するとともに、弾性舌片と弾性舌片の自由端部ｅ１側に位置する一方の垂直リブとの間に、相対する一対の水平リブを架橋するように、架橋垂直リブ３ｇを形成し、更に、架橋垂直リブと板状部との間に、ＩＤタグ挿入用スリットＳ２を形成した折り畳みコンテナーに関するものである。【効果】ＩＤタグを、ＩＤタグ挿入用スリットに挿通させつつ、弾性舌片の自由端部側に位置する一方の垂直リブ方向に移動させるだけで、ＩＤタグを、側壁に取り付けることができ、従って、ＩＤタグの側壁への取り付け作業の作業性が向上する。【選択図】図４
2005271938.tif 000002
【特許請求の範囲】
【請求項１】
底部と、該底部の一方の相対する辺部にヒンジ連結された一方の相対する側壁と、前記底部のもう一方の相対する辺部にヒンジ連結されたもう一方の相対する側壁とを有するとともに、前記側壁を、前記底部に重なるように倒すことにより、折り畳み可能な折り畳みコンテナーにおいて、所定の側壁の弾性変形可能な薄肉の板状部の外面に形成された相対する一対の水平リブと相対する一対の垂直リブとにより、ＩＤタグ用空間を形成し、且つ、該ＩＤタグ用空間内に位置する前記板状部に、係止突部を有する弾性舌片を形成するとともに、該弾性舌片と該弾性舌片の自由端部側に位置する前記一方の垂直リブとの間に、前記相対する一対の水平リブを架橋するように、適当数の架橋垂直リブを形成し、更に、該架橋垂直リブと前記板状部との間に、ＩＤタグ挿入用スリットを形成したことを特徴とする折り畳みコンテナー。
【請求項２】
前記ＩＤタグ用空間と弾性舌片と架橋垂直リブとＩＤタグ挿入用スリットとを有するＩＤタグ取付手段を、箱型に組み立てられた状態から、先に倒される側壁に配設し、前記ＩＤタグ取付手段に取り付けられたＩＤタグを、後から倒される側壁により覆うようにしたことを特徴とする請求項１に記載の折り畳みコンテナー。
【発明の詳細な説明】
【技術分野】
【０００１】
本発明は、底部と、該底部にヒンジ連結され、且つ、底部に折り畳むことが可能な側壁とから構成された折り畳み可能な折り畳みコンテナー、特に、収納されている物品の行き先、物品名、種類、数量等の情報が蓄積可能なＩＤタグ取付手段を有する折り畳みコンテナーに関するものである。
【背景技術】
【０００２】
従来、ＩＤタグの取り付け可能な折り畳みコンテナーは知られていないが、折り畳みが不可能なコンテナー、即ち、底部に、側壁が、固定的に取着されたコンテナーに、ＩＤタグ取付手段を配設したものが、一例として、特許文献１に開示されている。
【特許文献１】実開平５−９４１３３号公報
【発明の開示】
【発明が解決しようとする課題】
【０００３】
近年、折り畳みコンテナーの側壁の肉厚は、軽量化や折り畳まれた状態の折り畳みコンテナーの高さを可能な限り低くするために、薄く形成されているが、従来、薄肉化された側壁へのＩＤタグ取付手段について考慮された折り畳みコンテナーは知られていない。
【０００４】
上述したように、薄肉化された側壁に、ＩＤタグを取り付けた場合には、変形し易い側壁の変形に伴い、ＩＤタグが損傷する頻度が、底部と側壁とが、一体的に成形されたコンテナーに比べて、高く、また、側壁は、底部に重なるように倒されたり、底部に対して略垂直に立てられたり、頻繁に倒立運動が繰り返されるために、ＩＤタグが損傷する頻度は、底部と側壁とが、一体的に成形されたコンテナーに比べて、高いという問題がある。
【０００５】
本発明の目的は、折り畳みコンテナーに、ＩＤタグを取り付けた場合に惹起される種々の課題を解決することにある。
【課題を解決するための手段】
【０００６】
本発明は、上述した目的を達成するために、底部と、該底部の一方の相対する辺部にヒンジ連結された一方の相対する側壁と、前記底部のもう一方の相対する辺部にヒンジ連結されたもう一方の相対する側壁とを有するとともに、前記側壁を、前記底部に重なるように倒すことにより、折り畳み可能な折り畳みコンテナーにおいて、第１には、所定の側壁の弾性変形可能な薄肉の板状部の外面に形成された相対する一対の水平リブと相対する一対の垂直リブとにより、ＩＤタグ用空間を形成し、且つ、該ＩＤタグ用空間内に位置する前記板状部に、係止突部を有する弾性舌片を形成するとともに、該弾性舌片と該弾性舌片の自由端部側に位置する前記一方の垂直リブとの間に、前記相対する一対の水平リブを架橋するように、適当数の架橋垂直リブを形成し、更に、該架橋垂直リブと前記板状部との間に、ＩＤタグ挿入用スリットを形成したものであり、第２には、前記ＩＤタグ用空間と弾性舌片と架橋垂直リブとＩＤタグ挿入用スリットとを有するＩＤタグ取付手段を、箱型に組み立てられた状態から、先に倒される側壁に配設し、前記ＩＤタグ取付手段に取り付けられたＩＤタグを、後から倒される側壁により覆うようにしたものである。
【発明の効果】
【０００７】
本発明は、上述した構成を有するので、以下に記載する効果を奏することができるものである。
【０００８】
所定の側壁の弾性変形可能な薄肉の板状部の外面に形成された相対する一対の水平リブと相対する一対の垂直リブとにより、ＩＤタグ用空間を形成し、且つ、該ＩＤタグ用空間内に位置する前記板状部に、弾性舌片を形成するとともに、該弾性舌片と該弾性舌片の自由端部側に位置する前記一方の垂直リブとの間に、前記相対する一対の水平リブを架橋するように、適当数の架橋垂直リブを形成し、更に、該架橋垂直リブと前記板状部との間に、ＩＤタグ挿入用スリットを形成したので、ＩＤタグを、ＩＤタグ挿入用スリットに挿通させつつ、弾性舌片の自由端部側に位置する一方の垂直リブ方向に移動させるだけで、ＩＤタグを、側壁に取り付けることができ、従って、ＩＤタグの側壁への取り付け作業の作業性が向上する。
【０００９】
また、弾性舌片を内側方向に湾曲させて、ＩＤタグから、弾性舌片に突設された係止突部を外し、その後、ＩＤタグを、弾性舌片の根元部側に位置する垂直リブ方向に移動させるだけで、ＩＤタグを、側壁から取り外すことができるので、ＩＤタグの側壁からの取り外し作業の作業性が向上する。
【００１０】
ＩＤタグ用空間と弾性舌片と架橋垂直リブとＩＤタグ挿入用スリットとを有するＩＤタグ取付手段を、箱型に組み立てられた状態から、先に倒される側壁に配設し、ＩＤタグ取付手段に取り付けられたＩＤタグを、後から倒される側壁により覆うようにしたので、折り畳まれた状態の折り畳みコンテナーを段積みした際に、ＩＤタグの損傷を防止することができる。
【実施例】
【００１１】
以下に、本発明の実施例について説明するが、本発明の趣旨を越えない限り、何ら、本実施例に限定されるものではない。
【００１２】
先ず最初に、図１〜図３を用いて、本発明の折り畳みコンテナーの全体構成について説明する。
【００１３】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、本実施例においては、長辺側土手部１ａの高さは、短辺側土手部１ｂの高さより、高く形成されている。
【００１４】
２は、長側壁であり、長側壁２は、適当なヒンジ部材を介して、底部１の長辺側土手部１ａにヒンジ連結されている。３は、短側壁であり、短側壁３も、適当なヒンジ部材を介して、底部１の短辺側土手部１ｂにヒンジ連結されている。
【００１５】
長側壁２は、横長の長方形状の弾性変形可能な薄肉な板状部２ａを有しており、板状部２ａの両端部には、板状部２ａの内面（折り畳みコンテナーを箱型に組み立てた際に、内側に位置する面）２ａ１側に、且つ、内面２ａ１に対して、略直角方向に延在する縦長の係合枠４が形成されており、係合枠４には、適当数の透孔４ａが穿設されている。また、係合枠４付近に位置する板状部２ａに、コの字状のスリット５を形成することにより、係合枠４側が自由端に形成された弾性舌片６が形成されている。弾性舌片６の先端部には、係合枠４と対向するように、係止凸部６ａが形成されている。
【００１６】
短側壁３も、横長の長方形状の弾性変形可能な薄肉な板状部３ａを有しており、短側壁３の両端部には、板状部３ａを延長することにより、縦長の係合枠７が形成されており、係合枠７には、長側壁２の係合枠４に穿設されている透孔４ａに嵌合する嵌合突起７ａが形成されている。
【００１７】
図３に示されているように、折り畳まれた状態から、図１に示されているように、箱型に組み立てるには、先ず最初に、図２に示されているように、略水平状態の長側壁２を、略垂直に立て、次いで、短側壁３を、略垂直に立てられた長側壁２方向に回動させると、短側壁３の係合枠７に形成された嵌合突起７ａの長側壁２の係合枠４に穿設された透孔４ａへの嵌合に前後して、短側壁３の係合枠７が、長側壁２に形成された弾性舌片６の係止凸部６ａに当接し、弾性舌片６を外側に変形させる。そして、短側壁３の係合枠７が、長側壁２に形成された弾性舌片６の係止凸部６ａを通過した時点で、短側壁３の係合枠７により外側に押された弾性舌片６が、その復元力により戻り、弾性舌片６の係止凸部６ａが、略垂直に立てられた短側壁３の係合枠７に当接して、短側壁３の底部１方向への回動を阻止するように構成されている。
【００１８】
また、箱型に組み立てられた折り畳みコンテナーを、折り畳むには、先ず最初に、長側壁２の弾性舌片６を、その係止凸部６ａが、短側壁３の係合枠７から外れるように、外側に押し、その後、短側壁３を底部１方向に回動させることにより、短側壁３の係合枠７に形成された嵌合突起７ａを、長側壁２の係合枠４に穿設された透孔４ａから排出させて、短側壁３を底部１の上に倒す。その後、略垂直な長側壁２を、底部１方向に倒すことにより、箱型に組み立てられた折り畳みコンテナーを折り畳むように構成されている。
【００１９】
長側壁２の弾性変形可能な薄肉な板状部２ａの上下端には、板状部２ａの外面（折り畳みコンテナーを箱型に組み立てた際に、外側に位置する面）２ａ２側に、且つ、外面２ａ２に対して、略垂直方向に延在する上端リブ２ｂと下端リブ２ｃが形成されており、また、板状部２ａの左右端には、板状部２ａの外面２ａ２側に、且つ、外面２ａ２に対して、略垂直方向に延在する一対の側端リブ２ｄが形成されている。また、板状部２ａの外面２ａ２には、略垂直方向に延在する適当数の水平リブ２ｅが形成されており、更に、板状部２ａの外面２ａ２には、略垂直方向に延在する適当数の垂直リブ２ｆが形成されている。
【００２０】
同様に、短側壁３の弾性変形可能な薄肉な板状部３ａの上下端にも、板状部３ａの外面（折り畳みコンテナーを箱型に組み立てた際に、外側に位置する面）３ａ１側に、且つ、外面３ａ１に対して、略垂直方向に延在する上端リブ３ｂと下端リブ３ｃが形成されており、また、板状部３ａの左右端には、板状部３ａの外面３ａ１側に、且つ、外面３ａ１に対して、略垂直方向に延在する一対の側端リブ３ｄが形成されている。また、板状部３ａの外面３ａ１には、略垂直方向に延在する適当数の水平リブ３ｅが形成されており、更に、板状部３ａの外面３ａ１には、略垂直方向に延在する適当数の垂直リブ３ｆが形成されている。
【００２１】
次に、主として、図４〜図８を用いて、一例として、略長方形状の板状のＩＤタグが収容される空間等について説明する。
【００２２】
短側壁３の弾性変形可能な薄肉な板状部３ａの外面３ａ１には、適当な相対する一対の水平リブ３ｅ１と適当な相対する一対の垂直リブ３ｆ１とにより囲まれたＩＤタグ用空間Ａ１が形成されている。ＩＤタグ用空間Ａ１の幅Ｗ１、換言すれば、一対の垂直リブ３ｆ１間の間隔は、ＩＤタグ用空間Ａ１に収容されるＩＤタグＴの幅ｔ１の略２倍であり、また、ＩＤタグ用空間Ａ１の高さＨ１、換言すれば、一対の水平リブ３ｅ１間の間隔は、ＩＤタグ用空間Ａ１に収容されるＩＤタグＴの高さｔ２と略同じに形成されている。
【００２３】
上述したＩＤタグ用空間Ａ１内に位置する弾性変形可能な薄肉な板状部３ａの中央領域には、一対の水平スリット部ｓ１と一対の水平スリット部ｓ１の一端を連結する垂直スリット部ｓ２とからなる略コの字状のスリットＳ１が形成されており、このように、略コの字状のスリットＳ１を形成することにより、ＩＤタグ用空間Ａ１内に位置する弾性変形可能な薄肉な板状部３ａの中央領域には、弾性舌片Ｅ１が形成されている。弾性舌片Ｅ１の自由端部ｅ１には、板状部３ａの外面３ａ１から突出した係止突部ｅ２が突設されている。
【００２４】
上述したＩＤタグ用空間Ａ１のうち、弾性舌片Ｅ１に突設された係止突部ｅ２と、該弾性舌片Ｅ１の自由端部ｅ１側に位置する垂直リブ３ｆ１との間に位置する空間部（以下、単に、ＩＤタグ収容空間部と称する。）Ａ１ａに、ＩＤタグＴが収容されることになる。
【００２５】
また、弾性舌片Ｅ１に突設された係止突部ｅ２と、該弾性舌片Ｅ１の自由端部ｅ１側に位置する垂直リブ３ｆ１との間、換言すれば、ＩＤタグ収容空間部Ａ１ａ内に位置する相対する一対の水平リブ３ｅ１には、適当数の架橋垂直リブ３ｇが形成されており、架橋垂直リブ３ｇと板状部３ａの外面３ａ１との間には、ＩＤタグＴが挿入可能なＩＤタグ挿入用スリットＳ２が形成されている。本実施例には、架橋垂直リブ３ｇが、２本形成されている例が示されているが、ＩＤタグ収容空間部Ａ１ａに収容されるＩＤタグＴの大きさ等を考慮して、架橋垂直リブ３ｇを、１本或いは３本以上形成することができる。
【００２６】
上述した短側壁３に形成されたＩＤタグ用空間Ａ１のうち、ＩＤタグ収容空間部Ａ１ａに、ＩＤタグＴを収容するには、先ず最初に、弾性舌片Ｅ１の係止突部ｅ２に一番近い架橋垂直リブ３ｇと弾性舌片Ｅ１の根元部ｅ３側に位置する垂直リブ３ｆ１との間に位置する空間部に、ＩＤタグＴを挿入するとともに、図７に示されているように、ＩＤタグＴを、弾性舌片Ｅ１の係止突部ｅ２に押し付けて、弾性舌片Ｅ１を、内側方向に弾性変形させ、ＩＤタグＴを、板状部３ａの外面３ａ１に当接させる。この状態で、ＩＤタグＴを、弾性舌片Ｅ１の自由端部ｅ１側に位置する垂直リブ３ｆ１方向に移動させて、ＩＤタグＴの先端（弾性舌片Ｅ１の自由端部ｅ１側に位置する垂直リブ３ｆ１側の垂直端、換言すれば、ＩＤタグＴの移動方向の垂直端）Ｔ’を、上述した架橋垂直リブ３ｇと板状部３ａの外面３ａ１との間に形成されたＩＤタグ挿入用スリットＳ２に挿通する。そして、ＩＤタグＴの先端Ｔ’が、弾性舌片Ｅ１の自由端部ｅ１側に位置する垂直リブ３ｆ１に当接或いは近接した時点で、ＩＤタグＴの後端（弾性舌片Ｅ１の根元部ｅ３側に位置する垂直リブ３ｆ１側の垂直端、換言すれば、ＩＤタグＴの移動方向と反対側の垂直端）Ｔ”が、弾性舌片Ｅ１に突設された係止突部ｅ２から外れることになり、従って、弾性舌片Ｅ１が、その弾性力により、元の位置、換言すれば、弾性舌片Ｅ１と板状部３ａとが面一となる位置に復元し、図８に示されているように、弾性舌片Ｅ１に突設された係止突部ｅ２が、ＩＤタグＴの後端Ｔ”に、当接或いは近接して位置するとになる。このようにして、ＩＤタグ用空間Ａ１のうち、ＩＤタグ収容空間部Ａ１ａに、ＩＤタグＴが収容されることになる。
【００２７】
上述したように、ＩＤタグＴを、弾性舌片Ｅ１の自由端部ｅ１側に位置する垂直リブ３ｆ１方向に移動させて、ＩＤタグＴの先端Ｔ’を、弾性舌片Ｅ１の自由端部ｅ１側に位置する垂直リブ３ｆ１に当接或いは近接させるとともに、ＩＤタグＴの後端Ｔ”を、弾性舌片Ｅ１に突設された係止突部ｅ２に当接或いは近接させるように構成したので、ＩＤタグＴの移動だけで、ＩＤタグＴを、短側壁３に取り付けることができ、従って、ＩＤタグＴの短側壁３への取り付け作業の作業性が向上する。
【００２８】
上述したようにして、ＩＤタグ用空間Ａ１のうち、ＩＤタグ収容空間部Ａ１ａに収容されたＩＤタグＴは、その上下方向の移動が、ＩＤタグ収容空間部Ａ１ａを規定する一対の水平リブ３ｅ１により制限され、また、水平方向の移動が、弾性舌片Ｅ１の自由端部ｅ１側に位置するとともに、ＩＤタグ収容空間部Ａ１ａを規定する垂直リブ３ｆ１と弾性舌片Ｅ１に突設された係止突部ｅ２とにより制限されるように構成されており、従って、ＩＤタグ収容空間部Ａ１ａに収容されたＩＤタグＴが、大きく移動するようなことがない。また、上述したように、架橋垂直リブ３ｇと板状部３ａの外面３ａ１との間に形成されたＩＤタグ挿入用スリットＳ２に、ＩＤタグＴが挿入されているので、ＩＤタグＴの短側壁３からの脱落を、確実に防止することができる。
【００２９】
ＩＤタグ収容空間部Ａ１ａに収容されたＩＤタグＴの大きさが一定の場合には、ＩＤタグＴの大きさに応じて、ＩＤタグ収容空間部Ａ１ａを規定する弾性舌片Ｅ１に突設された係止突部ｅ２と該弾性舌片Ｅ１の自由端部ｅ１側に位置する垂直リブ３ｆ１と相対する一対の水平リブ３ｅ１の配置を、適宜、設定することができるが、本実施例においては、相対する一対の水平リブ３ｅ１を架橋する適当数の架橋垂直リブ３ｇが形成されているとともに、架橋垂直リブ３ｇと板状部３ａの外面３ａ１との間には、ＩＤタグＴが挿入可能なＩＤタグ挿入用スリットＳ２が形成されているので、ＩＤタグＴの大きさが、ＩＤタグ収容空間部Ａ１ａの大きさと多少異なっていても、ＩＤタグ収容空間部Ａ１ａに、ＩＤタグＴを収容することができるとともに、ＩＤタグ挿入用スリットＳ２に挿入されたＩＤタグＴが、ＩＤタグ収容空間部Ａ１ａから抜け落ちるようなことを防止することができる。
【００３０】
また、ＩＤタグ収容空間部Ａ１ａに収容されたＩＤタグＴを取り外すには、先ず最初に、弾性舌片Ｅ１の自由端部ｅ１付近や係止突部ｅ２を押して、弾性舌片Ｅ１の弾性に抗して、弾性舌片Ｅ１を内側方向に湾曲させることにより、ＩＤタグＴの後端Ｔ”から、弾性舌片Ｅ１に突設された係止突部ｅ２を外す。次いで、弾性舌片Ｅ１に突設された係止突部ｅ２が、ＩＤタグＴの後端Ｔ”から外れた後に、ＩＤタグＴを、弾性舌片Ｅ１の根元部ｅ３側に位置する垂直リブ３ｆ１方向に、板状部３ａの外面３ａ１に沿って移動させて、ＩＤタグＴを、弾性舌片Ｅ１の係止突部ｅ２に一番近い架橋垂直リブ３ｇと板状部３ａの外面３ａ１との間に形成されているＩＤタグ挿入用スリットＳ２から排出させる。ＩＤタグＴが、弾性舌片Ｅ１の係止突部ｅ２に一番近い架橋垂直リブ３ｇと板状部３ａの外面３ａ１との間に形成されているＩＤタグ挿入用スリットＳ２から排出された後、ＩＤタグＴを、ＩＤタグ用空間Ａ１から取り出す。
【００３１】
上述したように、短側壁３に取り付けられた状態から、弾性舌片Ｅ１を内側方向に湾曲させて、ＩＤタグＴの後端Ｔ”から、弾性舌片Ｅ１に突設された係止突部ｅ２を外し、その後、ＩＤタグＴを、弾性舌片Ｅ１の根元部ｅ３側に位置する垂直リブ３ｆ１方向に移動させることにより、簡単に、ＩＤタグＴを、短側壁３から取り外すことができるので、ＩＤタグＴの短側壁３からの取り外し作業の作業性が向上する。
【００３２】
上述したように、短側壁３の弾性変形可能な薄肉な板状部３ａの外面３ａ１に形成されている、相対する一対の水平リブ３ｅ１と相対する一対の垂直リブ３ｆ１とにより囲まれたＩＤタグ用空間Ａ１内に位置する板状部３ａの中央領域に、係止突部ｅ２が突設された弾性舌片Ｅ１を形成するとともに、弾性舌片Ｅ１に突設された係止突部ｅ２と、該弾性舌片Ｅ１の自由端部ｅ１側に位置する垂直リブ３ｆ１との間に、適当数の架橋垂直リブ３ｇを形成し、更に、架橋垂直リブ３ｇと板状部３ａの外面３ａ１との間に、ＩＤタグＴが挿入可能なＩＤタグ挿入用スリットＳ２を形成することにより、短側壁３に、ＩＤタグ取付手段が配設されている。
【００３３】
ところで、上述したように、箱型に組み立てられた折り畳みコンテナーを、折り畳むには、先に、短側壁３が底部１方向に倒され、その後、長側壁２が、短側壁３の上に重なるように倒されるので、図３に示されているように、折り畳みコンテナーが、折り畳まれた状態においては、ＩＤタグＴが取り付けられた短側壁３の上に、長側壁２が位置することになる。このように、ＩＤタグＴが取り付けられた短側壁３の上に、長側壁２が重ねられているので、短側壁３に取り付けられたＩＤタグＴが、長側壁２により保護され、ＩＤタグＴが損傷するようなことを防止することができる。特に、折り畳みコンテナーは、図３に示されているような折り畳まれた状態で、多数、上下方向に積み重ねられる、即ち、段積みされるので、このように、短側壁３に取り付けられたＩＤタグＴが、長側壁２により保護されることにより、確実に、ＩＤタグＴの損傷を防止することができる。なお、長側壁２と短側壁３の大きさによっては、先に倒される短側壁３が、完全に、長側壁２により覆われることがない場合もあるが、このような場合には、短側壁３の長側壁２により覆われる領域に、上述したようなＩＤタグ取付手段を配設することが好ましい。
【００３４】
なお、上述したＩＤタグ用空間Ａ１を規定する相対する一対の水平リブ３ｅ１と相対する一対の垂直リブ３ｆ１とは、従来の折り畳みコンテナーの短側壁３に形成されている水平リブや垂直リブを利用することができるので、新たに、弾性舌片Ｅ１と架橋垂直リブ３ｇとを形成するだけでよいことになる。従って、金型変更を、最小限に抑えることができ、ひいては、ＩＤタグ取付手段が配設された折り畳みコンテナーのコストアップを抑制することができる。
【００３５】
また、ＩＤタグ取付手段を構成する、ＩＤタグ用空間Ａ１を規定する相対する一対の水平リブ３ｅ１や相対する一対の垂直リブ３ｆ１及び弾性舌片Ｅ１や架橋垂直リブ３ｇは、短側壁３を、射出成形する際に、短側壁３と同時に一体成形されており、従って、短側壁３の成形後に、短側壁３に、別部材としてのＩＤタグ取付手段を取り付け組み立てる必要がない。従って、折り畳みコンテナーの組み立て作業に際しては、ＩＤタグ取付手段とともに射出成形で一体成形された短側壁３と、同じく、射出成形で一体成形された底部１と長側壁２とを組み立てるだけであるので、折り畳みコンテナーの組み立て作業の作業性が向上する。
【００３６】
なお、上述した実施例には、箱型に組み立てられた状態から、先に倒される短側壁３に、１個のＩＤタグ取付手段を配設した例が示されているが、短側壁３に、複数個のＩＤタグ取付手段を配設することもできる。また、短側壁３に加えて、短側壁３が倒された後に倒される長側壁２にも、ＩＤタグ取付手段を配設することもできる。
【００３７】
また、上述した実施例には、箱型に組み立てられた状態から、最初に、短側壁３が、底部１方向に倒され、次いで、長側壁２が、先に倒された短側壁３の上に倒されるように構成された折り畳みコンテナーに、上述したようなＩＤタグ取付手段を配設した例が示されているが、箱型に組み立てられた状態から、最初に、長側壁２が、底部１方向に倒され、次いで、短側壁３が、先に倒された長側壁２の上に倒されるように構成された折り畳みコンテナーに、上述したようなＩＤタグ取付手段を配設することもできる。
【００３８】
箱型に組み立てられた状態から、最初に、長側壁２が、底部１方向に倒され、次いで、短側壁３が、先に倒された長側壁２の上に倒されるように構成された折り畳みコンテナーに、上述したようなＩＤタグ取付手段を配設する場合には、上述した実施例と同様に、先に倒される長側壁２に、ＩＤタグ取付手段を配設することが好ましい。
【００３９】
先に倒される長側壁２に、ＩＤタグ取付手段を配設した場合には、後から倒される短側壁３により覆われる長側壁２の所定の領域に、ＩＤタグ取付手段を配設することが好ましい。このように構成することにより、折り畳まれた状態の折り畳みコンテナーを段積みした際に、長側壁２に取り付けられたＩＤタグＴの上には、短側壁３が位置することになるので、ＩＤタグＴの損傷を防止することができる。
【００４０】
箱型に組み立てられた状態から、最初に、長側壁２が、底部１方向に倒され、次いで、短側壁３が、先に倒された長側壁２の上に倒されるように構成された折り畳みコンテナーの場合にも、当然のことながら、後から倒される短側壁３に、ＩＤタグ取付手段を配設することができる。
【００４１】
次に、図９〜図１１を用いて、他の実施例の折り畳みコンテナーについて説明する。
【００４２】
この実施例においても、上述した実施例と同様に、短側壁３の弾性変形可能な薄肉な板状部３ａの外面３ａ１には、適当な相対する一対の水平リブ３ｅ２と適当な相対する一対の垂直リブ３ｆ２とにより囲まれているＩＤタグ収容空間部Ａ２が形成されている。本実施理例においては、ＩＤタグ収容空間部Ａ２の幅Ｗ２、換言すれば、一対の垂直リブ３ｆ２間の間隔は、ＩＤタグ収容空間部Ａ２に収容されるＩＤタグＴの幅ｔ１の略同じであり、また、ＩＤタグ収容空間部Ａ２の高さＨ２、換言すれば、一対の水平リブ３ｅ２間の間隔は、ＩＤタグ収容空間部Ａ２に収容されるＩＤタグＴの高さｔ２と略同じに形成されている。
【００４３】
ＩＤタグ収容空間部Ａ２を規定する相対する一対の水平リブ３ｅ２のうち、上方に位置する水平リブ３ｅ２の下面には、所定の間隔を置いて、所定数の係止突部８が垂設されており、また、ＩＤタグ収容空間部Ａ２を規定する相対する一対の水平リブ３ｅ２のうち、下方に位置する水平リブ３ｅ２の上面には、所定の間隔を置いて、所定数の係止突部９が垂設されている。
【００４４】
この実施例において、ＩＤタグ収容空間部Ａ２に、ＩＤタグＴを取り付けるには、ＩＤタグ収容空間部Ａ２に挿入されたＩＤタグＴを、短側壁３の板状部３ａ方向に押して、ＩＤタグＴを、相対する一対の水平リブ３ｅ２にそれぞれ形成された係止突部８、９を越えて、板状部３ａの外面に当接或いは近接させることにより、ＩＤタグＴを、ＩＤタグ収容空間部Ａ２内に収容することができるように構成されている。
【００４５】
この実施例においても、ＩＤタグ取付手段を構成する相対する一対の水平リブ３ｅ２や相対する一対の垂直リブ３ｆ２や係止突部８、９は、短側壁３を、射出成形する際に、短側壁３と同時に一体成形されており、従って、短側壁３の成形後に、短側壁３に、別部材としてのＩＤタグ取付手段を取り付け組み立てるものではない。従って、折り畳みコンテナーの組み立て作業に際しては、ＩＤタグ取付手段とともに射出成形で一体成形された短側壁３と、同じく、射出成形で一体成形された底部１と長側壁２とを組み立てるだけであるので、折り畳みコンテナーの組み立て作業の作業性が向上する。
【００４６】
上述した実施例と同様に、先に倒される短側壁３に、ＩＤタグ収容空間部Ａ２を規定する相対する一対の水平リブ３ｅ２と相対する一対の垂直リブ３ｆ２及び係止突部８、９からなるＩＤタグ取付手段を配設した場合には、後から倒される長側壁２により覆われる短側壁３の所定の領域に、ＩＤタグ取付手段を配設することが好ましい。このように構成することにより、折り畳まれた状態の折り畳みコンテナーを段積みした際に、短側壁３に取り付けられたＩＤタグＴの上には、長側壁２が位置することになるので、ＩＤタグＴの損傷を防止することができる。
【００４７】
なお、相対する一対の水平リブ３ｅ２にそれぞれ形成された係止突部８、９と同様の係止突部を、相対する一対の垂直リブ３ｆ２の対向する面にも形成することもできる。また、相対する一対の水平リブ３ｅ２に、係止突部８、９を形成する代わりに、相対する一対の垂直リブ３ｆ２の対向する面にのみ形成することもできる。
【００４８】
また、ＩＤタグ収容空間部Ａ２を規定する相対する一対の水平リブ３ｅ２と相対する一対の垂直リブ３ｆ２及び係止突部８、９からなるＩＤタグ取付手段を、短側壁３に、１個以上、配設することもでき、更には、長側壁２にも配設することができる。
【００４９】
更に、上述した実施例には、箱型に組み立てられた状態から、最初に、短側壁３が、底部１方向に倒され、次いで、長側壁２が、先に倒された短側壁３の上に倒されるように構成された折り畳みコンテナーに、上述したような、ＩＤタグ収容空間部Ａ２を規定する相対する一対の水平リブ３ｅ２と相対する一対の垂直リブ３ｆ２及び係止突部８、９からなるＩＤタグ取付手段を配設した例が示されているが、箱型に組み立てられた状態から、最初に、長側壁２が、底部１方向に倒され、次いで、短側壁３が、先に倒された長側壁２の上に倒されるように構成された折り畳みコンテナーに、上述したようなＩＤタグ取付手段を配設することもできる。
【００５０】
先に倒される長側壁２に、上述したような、ＩＤタグ収容空間部Ａ２を規定する相対する一対の水平リブ３ｅ２と相対する一対の垂直リブ３ｆ２及び係止突部８、９からなるＩＤタグ取付手段を配設した場合には、後から倒される短側壁３により覆われる長側壁２の所定の領域に、ＩＤタグ取付手段を配設することが好ましい。このように構成することにより、折り畳まれた状態の折り畳みコンテナーを段積みした際に、長側壁２に取り付けられたＩＤタグＴの上には、短側壁３が位置することになるので、ＩＤタグＴの損傷を防止することができる。
【００５１】
なお、図４〜図８等において、１０は、架橋垂直リブ３ｇと板状部３ａの外面３ａ１との間に形成されるＩＤタグＴが挿入可能なＩＤタグ挿入用スリットＳ２を、短側壁３と一体成形するために、短側壁３の板状部３ａに形成された金型の抜き孔である。また、図９〜図１１において、１１は、係止突部８、９を、短側壁３と一体成形するために、短側壁３の板状部３ａに形成された金型の抜き孔である。
【図面の簡単な説明】
【００５２】
【図１】図１は、箱型に組み立てられた状態の本発明の折り畳みコンテナーの斜視図である。
【図２】図２は、組み立て途中或いは折り畳み途中の本発明の折り畳みコンテナーの斜視図である。
【図３】図３は、折り畳まれた状態の本発明の折り畳みコンテナーの斜視図である。
【図４】図４は、短側壁から見た本発明の折り畳みコンテナーの正面図である。
【図５】図５は、短側壁から見た本発明の折り畳みコンテナーの部分斜視図である。
【図６】図６は、図５の更なる部分拡大斜視図である。
【図７】図７は、本発明の折り畳みコンテナーの短側壁の部分拡大水平断面図である。
【図８】図８は、図７と同様の本発明の折り畳みコンテナーの短側壁の部分拡大水平断面図である。
【図９】図９は、短側壁から見た本発明の別の実施例の折り畳みコンテナーの部分斜視図である。
【図１０】図１０は、短側壁から見た本発明の別の実施例の折り畳みコンテナーの正面図である。
【図１１】図１１は、本発明の別の実施例の折り畳みコンテナーの短側壁の部分拡大垂直断面図である。
【符号の説明】
【００５３】
Ａ１ａ、Ａ２・・・・・・・ＩＤタグ収容空間部
Ｔ・・・・・・・・・・・・ＩＤタグ
Ｅ１・・・・・・・・・・・弾性舌片
Ｓ２・・・・・・・・・・・ＩＤタグ挿入用スリット
１・・・・・・・・・・・・底部
２・・・・・・・・・・・・長側壁
３・・・・・・・・・・・・短側壁
３ｅ１、３ｅ２・・・・・・水平リブ
３ｆ１、３ｆ２・・・・・・垂直リブ
３ｇ・・・・・・・・・・・架橋リブ
【図１】
2005271938.tif 000003
【図２】
2005271938.tif 000004
【図３】
2005271938.tif 000005
【図４】
2005271938.tif 000006
【図５】
2005271938.tif 000007
【図６】
2005271938.tif 000008
【図７】
2005271938.tif 000009
【図８】
2005271938.tif 000010
【図９】
2005271938.tif 000011
【図１０】
2005271938.tif 000012
【図１１】
2005271938.tif 000013